(57)【特許請求の範囲】
【請求項１】
扁平な横断面形状を有すると共に、先端部分に複数の先端突起が前記扁平な横断面形状の長軸方向に間隔をおいて立設配置された、エラストマー樹脂からなる複数のへら状突起と、エラストマー樹脂からなる複数の錐体状突起とが、基台のブラシ面から突出している頭皮用ブラシであって、
前記へら状突起に、前記先端突起として、高さの高い２本の高突起と２本の該高突起間に位置し且つ該高突起それぞれより高さが低い低突起とが設けられており、
前記低突起及び前記錐体状突起それぞれの先端が、前記高突起の先端の先端連設面に達しておらず、
前記先端連設面は、ブラシ面の面内における一方向及びその直交方向の両方向に分散した３本以上の前記へら状突起の高突起の先端が接する曲面である、頭皮用ブラシ。
【請求項２】
前記先端連設面から前記錐体状突起の先端までの距離が、該先端連設面から前記低突起の先端までの距離と等しいか又は該距離より短いか又は該距離より長い請求項１記載の頭皮用ブラシ。
【請求項３】
前記錐体状突起が、円錐台状の基部と該基部の先端から更に突出する複数の先端突起を有する突起である、請求項１又は２記載の頭皮用ブラシ。
【請求項４】
前記錐体状突起として、円錐台状の基部と該基部の先端から更に突出する複数の先端突起を有する突起、及び円錐台状の基部上に半球状の先端部分を有する頭皮圧迫用突起を備えており、該頭皮圧迫用突起は、前記先端連設面から該突起の先端までの距離が、該先端連設面から、前記先端突起を有する前記錐体状突起の先端までの距離と等しいか又は該距離より長い、請求項１又は２記載の頭皮用ブラシ。
【請求項５】
扁平な横断面形状を有すると共に、先端部分に複数の先端突起が前記扁平な横断面形状の長軸方向に間隔をおいて立設配置された、エラストマー樹脂からなる複数のへら状突起と、エラストマー樹脂からなる複数の錐体状突起とが、基台のブラシ面から突出している頭皮用ブラシであって、
前記へら状突起に、前記先端突起として、高さの高い２本の高突起と２本の該高突起間に位置し且つ該高突起それぞれより高さが低い低突起とを設け、
頭皮用ブラシを頭皮に軽く当てたときには、前記高突起、前記低突起及び前記錐体状突起のうちの前記高突起のみが頭皮に当たり、より強く頭皮に押し付けたときに、前記低突起及び前記錐体状突起が頭皮に当たるようにした頭皮用ブラシ。
【請求項６】
頭皮用ブラシを頭皮に押し当てる力を徐々に高めたときに、前記低突起及び前記錐体状突起が、ほぼ同時に頭皮に当たるか又は前記錐体状突起が前記低突起よりも先に頭皮に当たるか又は前記低突起が前記錐体状突起よりも先に頭皮に当たるように形成してある請求項５記載の頭皮用ブラシ。
【請求項７】
前記錐体状突起が、円錐台状の基部と該基部の先端から更に突出する複数の先端突起を有する突起である、請求項５又は６記載の頭皮用ブラシ。
【請求項８】
前記錐体状突起として、円錐台状の基部と該基部の先端から更に突出する複数の先端突起を有する突起、及び円錐台状の基部上に半球状の先端部分を有する頭皮圧迫用突起を備えており、該頭皮圧迫用突起は、頭皮用ブラシを頭皮に押し当てる力を徐々に高めたときに、前記先端突起を有する前記錐体状突起及び前記頭皮圧迫用突起がほぼ同時に頭皮に当たるか、前記先端突起を有する前記錐体状突起が前記頭皮圧迫用突起よりも先に頭皮に当たるように形成してある請求項５又は６記載の頭皮用ブラシ。
【請求項９】
前記先端突起を有する前記錐体状突起は、該先端突起の高さが前記低突起の高さよりも低い請求項３，４，７及び８の何れか１項に記載の頭皮用ブラシ。
【請求項１０】
前記先端突起を有する前記錐体状突起の該先端突起は、高さと根元部における太さとの比が、前記低突起の同比よりも小さい請求項９記載の頭皮用ブラシ。
【請求項１１】
前記先端連設面が、頭の輪郭形状に沿ってブラシ面側に窪んだ凹状の湾曲面とされている、請求項１〜４の何れか１項に記載の頭皮用ブラシ。
【発明の詳細な説明】
【技術分野】
【０００１】
本発明は、頭皮用ブラシに関し、特に基台のブラシ面にエラストマー樹脂からなる複数の突起が立設されている頭皮用ブラシに関する。
【背景技術】
【０００２】
洗髪や毛髪の手入れを行う際に使用するヘアブラシとして、例えばブラシを構成する刷毛状の突起の先端に球状体を設けたものや、略円錐形の突起を有するもの、或いは異なる太さと長さを備える突起を組み合わせたもの等、種々の形態のものが知られている。また、近年、頭皮を掻く機能や、毛髪を掻く機能、或いは絡みついた毛髪を解く機能の他に、汚れや臭いの原因となる皮脂を除去したり毛穴を洗浄する機能に優れると共に、頭皮や毛穴に対するマッサージ効果に優れるマッサージ用ブラシも開発されている（例えば、特許文献１参照）。
【０００３】
さらに、頭皮のマッサージ効果を向上させるべく、基台に立設されて毛髪を掻き分ける複数の突起を、エラストマーや合成ゴム等の柔軟な素材を用いて形成すると共に、突起の先端部分に複数の小突起を設け、これらの小突起を柔軟に屈曲させながら頭皮に対して多点で接触させるようにした頭皮用ブラシも開発されている（例えば、特許文献２参照）。
【０００４】
このようなブラシとして、本出願人も、主として毛髪を掻き分ける機能を発揮する複数の突起と、主としてマッサージ効果を発揮する複数の突起とを、柔軟なエラストマー樹脂を用いて基台のブラシ面に異なる形状の突起として突設してなり、優れたマッサージ効果が得られると共に、優れた皮脂の除去機能や毛穴の洗浄機能を発揮することのできる頭皮用ブラシを提案している（特許文献３，４参照）。
【先行技術文献】
【特許文献】
【０００５】
【特許文献１】特開２０００−６０６４０号公報
【特許文献２】特開２００５−１６０６８４号公報
【特許文献３】特開２００７−２８２６８１号公報
【特許文献４】特開２００９−２４０７６８号公報
【発明の概要】
【発明が解決しようとする課題】
【０００６】
本発明者らは、特許文献４に係る特許出願の後に更に研究を進めた結果、特許文献３や４の頭皮用ブラシの実施品を、髪の毛が長い人及び／又は髪の毛が多い人が使用した場合に、突起が十分に頭皮に当たっていない印象を受ける場合があることを知見した。突起が頭皮に当たる感触を十分に得るためには、頭皮用ブラシを頭皮に強く押し付けて使用することが考えられる。しかし、その場合には、突起が髪の毛に絡まったり引っ掛かったりすることを感じる場合があったり、あるいは突起を硬いと感じる場合もあった。
【０００７】
本発明の目的は、髪の毛が長い及び／又は多い人であっても、突起が頭皮に当たる感触が十分に得られる上に、突起が髪の毛に絡んだり引っ掛かったりしにくく、また硬さ等も感じにくい、頭皮用ブラシを提供することにある。
【課題を解決するための手段】
【０００８】
本発明は、扁平な横断面形状を有すると共に、先端部分に複数の先端突起が前記扁平な横断面形状の長軸方向に間隔をおいて立設配置された、エラストマー樹脂からなる複数のへら状突起と、エラストマー樹脂からなる複数の錐体状突起とが、基台のブラシ面から突出している頭皮用ブラシであって、前記へら状突起に、前記先端突起として、高さの高い２本の高突起と２本の該高突起間に位置し且つ該高突起それぞれより高さが低い低突起とが設けられており、前記低突起及び前記錐体状突起それぞれの先端が、前記高突起の先端の先端連設面に達していない頭皮用ブラシを提供するものである。
【０００９】
また、本発明は、扁平な横断面形状を有すると共に、先端部分に複数の先端突起が前記扁平な横断面形状の長軸方向に間隔をおいて立設配置された、エラストマー樹脂からなる複数のへら状突起と、エラストマー樹脂からなる複数の錐体状突起とが、基台のブラシ面から突出している頭皮用ブラシであって、前記へら状突起に、前記先端突起として、高さの高い２本の高突起と２本の該高突起間に位置し且つ該高突起それぞれより高さが低い低突起とを設け、頭皮用ブラシを頭皮に軽く当てたときには、前記高突起、前記低突起及び前記錐体状突起のうちの前記高突起のみが頭皮に当たり、より強く頭皮に押し付けたときに、前記低突起及び前記錐体状突起が頭皮に当たるようにした、頭皮用ブラシを提供するものである。
【発明の効果】
【００１０】
本発明の頭皮用ブラシによれば、髪の毛が長い及び／又は多い人であっても、突起が頭皮に当たる感触が十分に得られる上に、突起が髪の毛に絡んだり引っ掛かったりしにくく、また硬さや痛みも感じにくい。
また、錐体状突起により優れたマッサージ効果が得られると共に、へら状突起により優れた皮脂の除去機能や毛穴の洗浄機能が発揮される。
【図面の簡単な説明】
【００１１】
【図１】図１は、本発明の好ましい一実施形態に係る頭皮用ブラシの斜視図である。
【図２】図２は、本発明の好ましい一実施形態に係る頭皮用ブラシのブラシ面を示す平面図である。
【図３】図３は、本発明の好ましい一実施形態に係る頭皮用ブラシの断面図（ブラシ面の長軸方向に沿う断面図）である。
【図４】図４は、本発明の好ましい一実施形態に係る頭皮用ブラシの断面図（ブラシ面の短軸方向に沿う断面図）である。
【図５】図５（ａ）は、へら状突起の正面図、図５（ｂ）はへら状突起の側面図である。
【図６】図６は、錐体状突起の正面図である。
【図７】図７（ａ）は、錐体状突起の拡大斜視図、図７（ｂ）は、錐体状突起の先端部分を示す拡大平面図である。
【図８】図８は、本発明の好ましい一実施形態に係る頭皮用ブラシの作用効果を説明するための説明図である。
【図９】図９は、本発明の他の好ましい実施形態に係る頭皮用ブラシを示す斜視図（図１相当図）である。
【図１０】図１０は、図９に示す頭皮用ブラシのブラシ面を示す平面図（図２相当図）である。
【図１１】図１１（ａ）は、頭皮圧迫用突起の側面図、図１１（ｂ）は、該頭皮圧迫用突起を先端側から見た拡大平面図である。
【図１２】図１２は、本発明の他の実施形態に係る頭皮用ブラシの作用効果を説明するための説明図である。
【図１３】図１３は、本発明の更に他の実施形態に係る頭皮用ブラシのブラシ面を示す底面図である。
【発明を実施するための形態】
【００１２】
以下、本発明をその好ましい実施形態に基づいて説明する。
本発明の第１実施形態の頭皮用ブラシ１０は、図１及び図２に示すように、把持部１１を有する基台１２のブラシ面１３に、エラストマー樹脂からなる、へら状突起１４と当該突起とは異なる形状の錐体状突起１５とを各々複数立設することによって構成される。立設とは、立った状態に設けることをいう。
【００１３】
本実施形態の頭皮用ブラシ１０は、例えば洗髪や毛髪の手入れを行う際に、把持部１１を指の間に挟み込み、ブラシ面１３とは反対側の基台１２の上面に手の平を密着させて、当該上面を覆うようにしながらブラシ１０を把持し、ブラシ面１３に立設した複数のへら状突起１４の先端又はへら状突起１４及び錐体状突起１５の先端を頭皮に押し当てた状態で、毛髪を掻き分けるようにしつつブラシ１０を動かすことにより、必要に応じて頭皮や毛髪に塗布した洗浄剤、ヘアケア剤、化粧料等の作用と相俟って、皮脂の除去や毛穴の洗浄を効率良く行えるようにすると共に、優れたマッサージ効果が得られるようにするものである。
【００１４】
前記へら状突起１４は、それぞれ、エラストマー樹脂からなり、扁平な横断面形状を有すると共に、それぞれの先端部分に複数の先端突起１４ｂ，１４ｃが前記扁平な横断面形状の長軸方向Ｘ（図２参照）に間隔をおいて立設配置されている。前記錐体状突起１５は、それぞれ、エラストマー樹脂からなり、錐体状の形状を有している。本発明における錐体状突起には、先端部分を丸めた円錐状の突起や、円錐台の基部が主体部分をなし該基部の先端部分に複数の小突起を設けた形状の突起、図１１に示すような形状の頭皮圧迫用突起１６等も含まれる。本実施形態における錐体状突起１５は、円錐台の基部１５ａの先端部分に複数の先端突起（小突起）１５ｂ，１５ｃを設けた形状の突起である。
【００１５】
前記基台１２は、例えばポリエチレン、ポリプロピレン等からなるプラスチック製の成形品であって、図３にも示すように、底面が楕円形状の装着開口１７ａとして開口し、上面が滑らかな湾曲凸面となった、例えば長軸の長さが８０〜１００ｍｍ程度、短軸の長さが７０〜９０ｍｍ程度の大きさの平面視楕円形状の基台本体１７と、この基台本体１７の装着開口１７ａを閉塞するように嵌め込み固定される基板１８とからなる。
基台本体１７には、その内側に、後述するエラストマー成形体１９の底盤部１９ａを装着するための装着凹部１７ｂが、装着開口１７ａを底面側に開口させて設けられていると共に、基台本体１７の上面には、高波状に後方に反った形状で上方に突出する把持部１１が、基台本体１７の前方部分に設けられている。
【００１６】
前記基板１８は、基台本体１７の装着開口１７ａの開口形状に略一致する平面視楕円形状を有しており、その突状に形成された周端面１８ａを、装着開口１７ａの開口縁部に沿って基台本体１７の内周面に設けられた係止凹溝１７ｃに係合させることにより、基台本体１７に固定される。基板１８には、後述するへら状突起１４及び錐体状突起１５の配設位置に対応させて、楕円突起孔２０及び円形突起孔２１が各々複数形成されている（図２及び図４参照）。基板１８の下面は、基台１２の底面となってブラシ面１３を形成すると共に、ブラシ面１３から、それぞれ複数のへら状突起１４及び錐体状突起１５が突出している。従って、ブラシ面１３も基板１８と同様に、平面視楕円形状を有している。
【００１７】
そして、基板１８は、基台本体１７の装着開口１７ａを覆って嵌め込み固定される。このとき、エラストマー成形体１９の底盤部１９ａから突出して一体成形された複数のへら状突起１４及び複数の錐体状突起１５が、複数の楕円突起孔２０及び複数の円形突起孔２１に各々挿通されている。また、基板１８と、基台本体１７の装着凹部１７ｂの内側天面部から垂下する支持棒１７ｄ（図３参照）や、装着凹部１７ｂの周縁段差部１７ｅとの間にエラストマー成形体１９の底盤部１９ａが挟み込まれている。これによって、エラストマー成形体１９は、複数のへら状突起１４及び複数の錐体状突起１５を、頭皮用ブラシ１０のブラシ面１３を構成する基板１８の下面から各々下方に突出させつつ、底盤部１９ａを装着凹部１７ｂに収容固定した状態で、基台１２に取り付けられることになる。
【００１８】
エラストマー成形体１９は、エラストマー樹脂として、例えばオレフィン系エラストマー、スチレン系エラストマー、ポリエステル系エラストマー、ウレタン系エラストマー等を用いて形成した樹脂成形品であって、基台本体１７の装着開口１７ａと同様の楕円平面形状を有する板状の底盤部１９ａと、底盤部１９ａから一体として突出する複数のへら状突起１４及び複数の錐体状突起１５とからなる。エラストマー成形体１９は、上述のように、底盤部１９ａを装着凹部１７ｂに収容固定した状態で基台本体１７に取り付けられ、基板１８によるブラシ面１３からへら状突起１４及び錐体状突起１５を後述する所望の高さで突出させる。ここで、エラストマー成形体１９を形成するためのエラストマー樹脂としては、例えば硬度（ショアＡ硬度、株式会社テクロック製のゴム硬度計（ＧＳ７０９Ｎ  形式Ａ）ＡＳＴＭ  Ｄ２２４０Ａ  ０−１００（ショアＡ硬度）に準拠して測定された数値）が４０〜８０の素材を用いることが好ましい。エラストマー成形体１９を形成するためのエラストマー樹脂としてこのような素材のものを用いることにより、頭皮を傷つけず、かつ痛くない圧力でへら状突起１４及び錐体状突起１５を頭皮に押し付けることができる。従って、適度な刺激を与えることが可能となり、優れたマッサージ効果が得られると共に、必要に応じて頭皮や毛髪に塗布した洗浄剤等の作用と相俟って、皮脂の除去や毛穴の洗浄を効率良く行うことが可能になる。なお、頭皮用ブラシ１０をシャンプーや育毛剤と共に使用する場合には、エラストマー成形体１９は、これらに対する耐薬品性に優れているオレフィン系エラストマーやスチレン系エラストマーを用いて形成することが好ましい。
【００１９】
なお、頭皮用ブラシの清潔感を向上させるために、透明又は半透明のエラストマー成形体を使用することが好ましい。エラストマー成形体を透明又は半透明にするには、エラストマー自身が透明又は半透明なものを選択し、種々の添加剤（例えば耐摩耗性添加剤）の添加量を少量にする必要がある。透明性の程度としては、ＪＩＳ  Ｋ７１３６で規定するヘーズ値が、好ましくは５〜３０％、より好ましくは１０〜２０％、さらに好ましくは１３〜１７％であると、頭皮用ブラシの清潔感を向上させることができるとともに、ブラシの適度な耐久性を維持することができる。具体的なエラストマー成形体としては、アロン化成株式会社のスチレン系エラストマーである商品名エラストマーＡＲ（前記硬度５５〜６０）が該当する。
【００２０】
へら状突起１４は、ブラシ面１３に沿った根元部の横断面形状が、例えば長軸の長さが５〜２０ｍｍ程度、短軸の長さが２〜１５ｍｍ程度の大きさの扁平な楕円形状となっていると共に（図２参照）、図５（ａ），図５（ｂ）にも示すように、略相似の断面形状を保持したまま、先端に向かって僅かに先細りの形状となっているへら状部１４ａと、へら状部１４ａの先端からさらに上方に突出する３本の先端突起とからなる。より具体的には、へら状突起１４は、へら状部１４ａの先端部分に配置された前記先端突起として、高さの高い２本の高突起１４ｂ，１４ｂと、該高突起１４ｂ，１４ｂそれぞれより高さが低い低突起１４ｃとを有している。
へら状突起１４は、ブラシ面１３から高突起１４ｂの先端（高さが異なる複数の高突起を有する場合は最も高さが高い高突起の先端）までの高さｈ１が例えば１２〜２３ｍｍ、好ましくは１６〜２１ｍｍとなるよう立設されると共に、へら状部１４ａの高さｈ２が、高突起１４ｂの先端までの前記高さｈ１の７０〜９５％、好ましくは７５〜８５％を占めていて、へら状部１４ａがへら状突起１４の主体部分となっている。これによって、毛髪を掻き分ける機能が効率良く発揮されると共に、頭皮に押し当てたときに先端部分に力が伝わりやすくなる。
【００２１】
へら状突起１４の先端部分に設けられた高突起１４ｂ，１４ｂ及び低突起１４ｃは、好ましくは先端が凸曲面状に形成された略円錐形状を有している。高突起１４ｂ，１４ｂ（高さが異なる複数の高突起を有する場合は最も高さが高い高突起）は、へら状部１４ａの先端からの高さｈ３が、例えば２〜７ｍｍであり、より好ましくは３．５〜５．５ｍｍ、更に好ましくは４〜５ｍｍである。低突起１４ｃは、へら状部１４ａの先端からの高さｈ３’が、高突起１４ｂそれぞれのへら状部１４ａの先端からの高さｈ３よりも低い。低突起１４ｃの前記高さｈ３’は、高突起１４ｂ，１４ｂの高さ（高さが異なる複数の高突起を有する場合は最も高さが高い高突起の高さ）ｈ３との差（ｈ３−ｈ３’）が、０．３〜３ｍｍであることが好ましく、より好ましくは０．５〜２．５ｍｍ、更に好ましくは０．５〜１．５ｍｍである。この高さの差（ｈ３−ｈ３’）は、高突起１４ｂ，１４ｂのうちの高さの高い方の先端と低突起１４ｃの先端との間に生じる段差の大きさ（高低差）と同じである。
また、低突起１４ｃは、へら状突起１４の扁平な横断面形状の長軸方向Ｘにおいて、高突起１４ｂ，１４ｂ間に配置されており、長軸方向Ｘにおける高突起１４ｂ，１４ｂと低突起１４ｃ間は、例えば根元部における間隔ｓ１が０〜５ｍｍ、好ましくは０．３〜２ｍｍであり、頂部における間隔ｓ２が１〜７ｍｍ、好ましくは２〜５ｍｍである。
【００２２】
高突起１４ｂ，１４ｂそれぞれの高さｈ３とそれぞれの根元部における太さ（直径）ｄとの比（ｈ３／ｄ）は、頭皮に押し当てたときに、毛髪を掻き分けつつ頭皮や毛穴に到達し易くなる観点から、１．５〜２．５となっていることが好ましく、１．８〜２．３となっていることが、さらに好ましい。
低突起１４ｃの高さｈ３’とその根元部における太さ（直径）ｄとの比（ｈ３’／ｄ）も、頭皮に押し当てたときに、毛髪を掻き分けつつ頭皮や毛穴に到達し易くなる観点から、１〜２．５となっていることが好ましく、１．２〜２．２となっていることがさらに好ましい。
なお、先端突起１４ｂ，１４ｃの太さｄは、根元部における断面形状が円形の場合はその直径を、円形以外の場合は断面２次半径の２倍を意味する。
【００２３】
本実施形態における錐体状突起１５は、ブラシ面１３に沿った根元部の横断面形状が、例えば直径４〜１０ｍｍ程度の大きさの円形となっていると共に（図２参照）、図６及び図７にも示すように、略相似の断面形状を保持したまま先端に向かって僅かに先細りの形状となっている円錐台状の基部１５ａと、基部１５ａの先端からさらに上方に突出した複数個の先端突起１５ｂ，１５ｃとからなる。錐体状突起１５は、ブラシ面１３から先端突起１５ｂ，１５ｃの先端までの高さｈ４が例えば５〜２２ｍｍ、好ましくは１０〜２０ｍｍとなるよう立設されると共に、円錐台状の基部１５ａの高さｈ５が、ブラシ面１３から先端突起１５ｂ，１５ｃの先端までの高さｈ４の９０〜９８％、好ましくは９２〜９６％を占めていて、該基部１５ａが錐体状突起１５の主体部分となっている。
【００２４】
本実施形態における錐体状突起１５は、先端突起として、図６、図７（ａ）及び図７（ｂ）に示すように、２種類の先端突起、即ち第１先端突起１５ｂ及び第２先端突起１５ｃを有している。先端突起としての第１先端突起１５ｂ，第２先端突起１５ｃは、円錐台状の基部１５ａの先端からの突出高さｈ６（図６参照）が、前記へら状突起１４の高突起１４ｂ，１４ｂ及び低突起１４ｃのいずれの高さｈ３，ｈ３’より高さが低くなっている。これにより、へら状突起１４の先端突起１４ｂ，１４ｂ，１４ｃ、特に高突起１４ｂ、１４ｂが柔軟に変形して優れた皮脂の除去機能や毛穴の洗浄機能を発揮する一方、ブラシ１０をある程度以上の力で頭皮に押し付けつつ動かしたときには、錐体状突起１５の先端突起１５ｂ，１５ｃが曲がりや撓みを生じにくく力が頭皮に効果的に伝わるため、突起が頭皮に十分に当たっている感触が得られ、また優れたマッサージ効果が得られる。
【００２５】
錐体状突起１５の先端突起１５ｂ，１５ｃは、円錐台状の基部１５ａからの突出高さｈ６（図６参照）が、前記へら状突起１４の低突起１４ｃの高さｈ３’〔図５（ａ）参照〕の７０％以下であることが好ましく、より好ましくは１０〜５０％であり、更に好ましくは１５〜４０％である。また、先端突起１５ｂ，１５ｃそれぞれの高さｈ６は、０．３〜２０ｍｍとすることが好ましく、０．３〜１０ｍｍとすることがより好ましく、０．３〜５ｍｍとすることがさらに好ましく、特に０．５〜１．５ｍｍとすることが好ましい。
尚、本実施形態のブラシ１０においては、第１先端突起１５ｂと第２先端突起１５ｃとで基部１５ａの先端からの突出高さｈ６が同じである。基部１５ａの先端に高さの異なる先端突起が存在する場合は、最も高い先端突起の高さを、錐体状突起１５の先端に設けられた先端突起の高さｈ６として、へら状突起１４の低突起１４ｃの高さと比較する。
【００２６】
本実施形態における第１先端突起１５ｂは、図７（ａ）及び図７（ｂ）に示すように、半球状をなし、円錐台状の基部１５ａの先端の中央部に配置されている。他方、第２先端突起１５ｃは、略半球状をなすが、より詳細には、根元部が円柱状をなし、先端が半球状の凸曲面に形成されている。また、第２先端突起１５ｃは、第１先端突起１５ｂの周囲を囲むように複数形成されている。第１先端突起１５ｂの周囲を囲む第２先端突起１５ｃの数は、例えば３〜１０個程度とすることができ、４〜１０個とすることが好ましく、５〜８個がより好ましい。複数個の第２先端突起１５ｃは、第１先端突起１５ｂの周囲に略等間隔に配置されていることが好ましい。複数個、特に３個以上の第２先端突起１５ｃを、中央部を囲むように設けることで、ブラシを使用する際のブラシ移動方向によらずに、頭皮を良好にマッサージすることができる。
【００２７】
本実施形態における第２先端突起１５ｃは、根元部の太さｄ２が、第１先端突起１５ｂの根元部の太さｄ１よりも小さい。先端突起１５ｂ，１５ｃの太さｄ１，ｄ２は、根元部における断面形状が円形の場合はその直径を、円形以外の場合は断面２次半径の２倍を意味する。
第１先端突起１５ｂは、基部１５ａの先端からの突出高さｈ６と、根元部における太さ（直径）ｄ１との比（ｈ６／ｄ１）が０．３〜０．８５となっていることが好ましく、０．５〜０．７５となっていることがさらに好ましい。また、第２先端突起１５ｃは、基部１５ａの先端からの突出高さｈ６と、根元部における太さ（直径）ｄ２との比（ｈ６／ｄ２）が０．５〜２．０となっていることが好ましく、０．７〜１．５となっていることがさらに好ましい。
【００２８】
また、第１及び第２先端突起１５ｂ，１５ｃの前記比（ｈ６／ｄ１，ｈ６／ｄ２）は、前述したへら状突起１４の高突起１４ｂ及び低突起１４ｃそれぞれの前記比（ｈ３／ｄ，ｈ３’／ｄ）よりも小さいことが好ましい。これにより、へら状突起１４の先端突起１４ｂ，１４ｂ，１４ｃ、特に高突起１４ｂ、１４ｂが柔軟に変形して優れた皮脂の除去機能や毛穴の洗浄機能を発揮する一方、ブラシ１０をある程度以上の力で頭皮に押し付けつつ動かしたときには、錐体状突起１５の先端突起１５ｂ，１５ｃが曲がりや撓みを生じにくく力が頭皮に効果的に伝わるため、突起が頭皮に十分に当たっている感触が得られ、また優れたマッサージ効果が得られる。
【００２９】
また、第２先端突起１５ｃは、第１先端突起１５ｂの周囲に、互いに隣接する第２先端突起１５ｃ同士間の根元部における間隔Ｓ３（図７（ｂ）参照）を０．３〜２ｍｍ、頂部における間隔Ｓ４（図７（ｂ）参照）を２．５〜４ｍｍとして配置されていることが好ましい。
【００３０】
本実施形態の頭皮用ブラシ１０は、図８（ａ）に示すように、ブラシ１０を頭皮Ｓ’に軽く当てたときには、へら状突起１４における高突起１４ｂ，１４ｂ及び低突起１４ｃ並びに錐体状突起１５における第１及び第２先端突起１５ｂ，１５ｃのうちの高突起１４ｂ，１４ｂのみが頭皮Ｓ’に当たり、図８（ｂ）に示すように、より強く頭皮に押し付けたときに、低突起１４ｃ及び錐体状突起１５の第１及び第２先端突起１５ｂ，１５ｃが頭皮Ｓ’に当たるようにしてある。
【００３１】
より具体的に説明すると、本実施形態のブラシ１０のブラシ面１３には、該ブラシ面１３に描いた複数の平行な仮想の直線Ｙ−Ｙ（本実施形態では楕円形状のブラシ面１３の短軸方向と平行な方向に延設する５本の線、図２参照）によって、複数の突起列Ｒ１〜Ｒ６に分割された状態に、へら状突起１４及び錐体状突起１５が配置されている。
そして、５本の線よって分割された６本の突起列Ｒ１〜Ｒ６のうち、両端部分の列を除いた４本の突起列Ｒ２〜Ｒ５には、３個のへら状突起１４と２個の錐体状突起１５とが交互に配置されている。
【００３２】
本実施形態における突起列Ｒ２〜Ｒ５においては、複数個のへら状突起１４とへら状突起間に配置された錐体状突起１５とが、へら状突起１４の横断面形状の長軸方向（Ｘ方向）と平行な方向にほぼ直列した状態に配置されており、そのような突起列が、該列に直交する方向（ブラシ面１３の長軸方向に沿う方向）に複数列形成されている。隣接する突起列間には、Ｙ−Ｙ線に沿って延びる、突起が配置されていない７〜１５ｍｍの幅ｂの帯状間隔領域２３が形成されている。このような配置によって、頭皮用ブラシ１０を突起列に沿う方向に移動させた際に、頭皮の所定箇所にへら状突起１４と錐体状突起１５が交互に接触することになり、皮脂の掻き取りと頭皮のマッサージを交互に行って、頭皮のマッサージ効果や皮脂の洗浄効果がさらに効率良く発揮されることになる。また、突起１４，１５に対する毛髪の付着やからみ付きを効果的に回避ないし軽減することができると共に、突起列に沿って指をスライドさせたり、シャワーの流水を流すことにより、毛髪が付着したりからみ付いたりしても容易に除去することが可能となる。
【００３３】
そして、図３、図４及び図８に示すように、へら状突起１４の高突起１４ｂの先端の先端連設面Ｓを考えたときに、へら状突起１４の低突起１４ｃの先端及び錐体状突起１５の先端は、何れも、図８（ａ）に示すように、その先端連設面Ｓに達していない。そのため、ブラシ１０を頭皮に軽く当てたときには、高突起１４ｂが頭皮Ｓ’に当たる一方、低突起１４ｃ及び錐体状突起１５は頭皮Ｓ’に当たらない。
【００３４】
先端連設面Ｓは、人の頭部の輪郭である凸曲面に沿う凹曲面であることが好ましく、ブラシ面１３における、へら状突起１４の扁平な横断面形状の長軸方向Ｘと平行な方向（図２の上下方向）をブラシ面１３の短軸方向、該短軸方向と直交する方向（図２の左右方向）をブラシ面１３の長軸方向としたときに、先端連設面Ｓは、ブラシ面の中心を通り且つブラシ面の短軸方向に沿う断面の曲率半径Ｒが、好ましくは１００〜３５０ｃｍであり、より好ましくは１２０〜３００ｃｍであり、更に好ましくは１５０〜２００ｃｍである。また、先端連設面Ｓは、ブラシ面の中心を通り且つブラシ面の長軸方向に沿う断面の曲率半径Ｒが、好ましくは１００〜４００ｃｍであり、より好ましくは１２０〜３００ｃｍであり、更に好ましくは１５０〜２００ｃｍである。
ここで、先端連設面Ｓとは、ブラシ面の面内における一方向（例えばブラシ面の長軸方向）及びその直交方向（例えばブラシ面の短軸方向）の両方向に分散した３本以上のへら状突起１４の高突起１４ｂの先端が接する曲面である。先端連設面Ｓは、総てのへら状突起１４の高突起１４ｂ又はできるだけ多くのへら状突起１４の高突起１４ｂが接する湾曲面を想定することが好ましい。図３，図４及び図８には、本実施形態のブラシ１０における総てのへら状突起１４の高突起１４ｂが接する湾曲面を先端連設面Ｓとして示してある。
【００３５】
また、ブラシ１０は、図８（ａ）に示すように、頭皮Ｓ’に軽く接触させた状態から、より強く頭皮に押し付けることにより、図８（ｂ）に示すように、低突起１４ｃ及び錐体状突起１５が頭皮Ｓ’に当たる。手で強く押し付ける程度で、低突起１４ｃ及び錐体状突起１５が頭皮Ｓ’に当たるようにするには、先端連設面Ｓから低突起１４ｃの先端までの距離及び先端連設面Ｓから錐体状突起１５の先端までの距離を、高突起１４ｂの柔軟性等を考慮して適切な範囲に設定すれば良い。
例えば、先端連設面Ｓから低突起１４ｃの先端までの距離は、０．３〜３ｍｍが好ましく、より好ましくは０．５〜２．５ｍｍ、更に好ましくは０．５〜１．５ｍｍである。また、先端連設面Ｓから錐体状突起１５の先端までの距離は、０．３〜５ｍｍが好ましく、より好ましくは０．５〜２．５ｍｍである。先端連設面Ｓから突起の先端までの距離は、先端連設面Ｓの法線に沿って測定した最短距離である。
【００３６】
本実施形態においては、突起列Ｒ１〜Ｒ６のそれぞれにおいて、へら状突起１４の高突起１４ｂの先端が先端連設面Ｓに接する一方、へら状突起１４の低突起１４ｃ及び錐体状突起１５それぞれの先端は先端連設面Ｓに達していない。
また、低突起１４ｃの先端から前記先端連設面Ｓまでの距離が、錐体状突起１５の先端から該先端連設面Ｓまでの距離と等しくなっている。そのため、図８（ａ）に示す状態から、頭皮用ブラシ１０を頭皮に押し当てる力を徐々に高めたときには、図８（ｂ）に示すように、低突起１４ｃ及び錐体状突起１５の先端が、ほぼ同時に頭皮Ｓ’に当たる。
【００３７】
上述のような構成を備える本実施形態の頭皮用ブラシ１０では、例えば把持部１１を指の間に挟み込み、ブラシ面１３とは反対側の基台１２の上面に手の平を密着させて、当該上面を覆うようにしながらブラシ１０を把持し、ブラシ面１３から突出する複数のへら状突起１４、又はへら状突起１４及び錐体状突起１５の先端を頭皮に押し当てた状態で、毛髪を掻き分けるようにしてブラシ１０を動かすことにより、必要に応じて洗浄剤、ヘアケア剤、化粧料等を頭皮や毛髪に塗布しつつ、洗髪や毛髪の手入れを行う。ここで、把持部１１は、その側面が、指の側面の形状に沿った凹状に窪んだ形状を備えており、ブラシ１０を手にフィットさせつつ安定した状態で把持させて、例えば頭皮用ブラシ１０をブラシ面１３の短軸方向に移動させながら毛髪を掻き分ける操作を、容易且つスムーズに行うことを可能にしている。
【００３８】
本実施形態の頭皮用ブラシ１０によれば、ブラシ１０を頭皮に押し当てる力を変化させることによって、頭皮に対して高突起１４ｂのみを当接させたり、高突起１４ｂと共に低突起１４ｃ及び錐体状突起１５を当接させたりすることができる。
そのため、高突起１４ｂのみが当接するような弱い力で頭皮に押し当てつつ、ブラシ１０を動かして、洗浄及びマッサージをすることにより、髪の毛が長い及び／又は多い人であっても、高突起１４ｂが頭皮に当たり、突起が頭皮に当たる感触が十分に得られる上に、突起が髪の毛に絡んだり引っ掛かったりしにくく、また硬さや痛みも感じにくい。
一方、より強くマッサージしたい場合には、低突起１４ｃ及び／又は錐体状突起１５が当接するような強い力で頭皮に押し当てつつ、ブラシ１０を動かすことにより、錐体状突起１５により優れたマッサージ効果が得られると共に、へら状突起１４により優れた皮脂の除去機能や毛穴の洗浄機能が発揮される。
【００３９】
また、本実施形態のブラシ１０においては、前述したように、該ブラシ１０を頭皮に押し当てる力を徐々に高めたときには、低突起１４ｃの先端及び錐体状突起１５の先端がほぼ同時に頭皮に当たるが、先端連設面Ｓから錐体状突起１５の先端までの距離を、該先端連設面Ｓから低突起１４ｃの先端までの距離より短くして、錐体状突起１５の先端が先に当たり、次いで低突起１４ｃの先端が当たるようにしても良い。
低突起１４ｃ及び錐体状突起１５が、ほぼ同時に頭皮に当たるか、錐体状突起１５が低突起１４ｃよりも先に頭皮に当たるように設計することにより、突起１４での皮脂の洗浄効果がさらに効率良く発揮されるとともに、錐体状突起１５で頭皮をマッサージすることができる。
【００４０】
なお、頭皮の洗浄性を更に高める場合には、先端連設面Ｓから錐体状突起１５の先端までの距離を、該先端連設面Ｓから低突起１４ｃの先端までの距離よりも長くして、低突起１４ｃの先端が頭皮に先に当たり、次いで錐体状突起１５の先端が当たるようにしても良い。
【００４１】
本実施形態の頭皮用ブラシ１０においては、ブラシ１０を頭皮に押し当てる力を、図８（ｂ）に示す状態から更に強め、その状態でブラシを動かしたときには、図８（ｃ）に示すように、低突起１４ｃが曲がった状態で頭皮に当接するようになる。そのため、当接面積が広くなり突起１４での皮脂の洗浄効果がさらに効率良く発揮される。
一方、錐体状突起１５は、先端突起１５ｂ，１５ｃはほとんど曲がらない一方、円錐状の基部１５ａがやや曲がった状態で頭皮に当接するようになる。そのため、さらに強い力で頭皮をマッサージすることができる。
【００４２】
また本願発明のブラシは、ブラシ面１３の中央部分に、複数のへら状突起１４が間隔を置いて直列状に配置された中央突起群１４Ｒを有し、該中央突起群の両側それぞれに複数の錐体状突起１５が間隔を置いて直列状に配置された第１サイド突起群１５Ｒを有し、更にその外側に、複数のへら状突起１４が間隔を置いて直列状に配置された第２サイド突起群１４Ｒ’を有している。各突起群間には、突起が配置されていない幅２〜５ｍｍの帯状間隔領域が、楕円形状のブラシ面１３の長軸方向に沿って延びている。これにより、突起に髪の毛に絡んだり引っ掛かったりすることが一層防止されると共に、シャワーの流水等による毛髪等の洗い流しも一層良好となる。
【００４３】
また、複数のへら状突起１４の高突起１４ｂの先端の先端連設面Ｓが、頭の輪郭形状に沿って内側（ブラシ面側）に窪んだ凹状の湾曲面とされている。先端連設面を凹状の湾曲面とすることにより、ブラシ面の移動させ方がマッサージ効果等に影響することを排除ないし軽減することができる。前記凹状の湾曲面の曲率半径は、ブラシ面の長軸方向では、１００〜４００ｍｍが好ましく、ブラシ面の短軸方向では１００〜３５０ｍｍが好ましい。
【００４４】
次に、本発明の他の実施形態の頭皮ブラシ１０’（以下、第２実施形態のブラシ１０’ともいう）について、図９〜図１２を参照して説明する。
第２実施形態のブラシ１０’は、第１実施形態のブラシ１０における一部の錐体状突起１５の代わりに図１１に示す形態の頭皮圧迫用の突起（以下、頭皮圧迫用突起ともいう）１６を有する以外は、第１実施形態のブラシ１０と同様の構造を有している。従って、第２実施形態のブラシ１０’については、第１実施形態のブラシ１０との相違点について主に説明し、同様の点については同一の符号を付して説明を省略する。特に説明しない点については、上述したブラシ１０についての説明（より好ましい構成の説明も含む）が適宜適用される。
なお、本実施形態では「錐体状突起１５」とは、円錐台の基部１５ａの先端部分に複数の先端突起（小突起）１５ｂ，１５ｃを設けた形状の突起を指し、「錐体状突起」とは、「錐体状突起１５」に加え、先端部分を丸めた円錐状の突起や、図１１に示すような形状の頭皮圧迫用突起１６等をも含む総称を指す。
【００４５】
第２実施形態のブラシ１０’は、図９及び図１０に示すように、ブラシ面１３の中心近傍に配された２本の突起列Ｒ３，Ｒ４が、頭皮圧迫用突起１６を含んでいる。突起列Ｒ３，Ｒ４は、それぞれ、３本のへら状突起１４と、へら状突起間に位置する２本の頭皮圧迫用突起１６から構成されている。頭皮圧迫用突起１６は、へら状突起１４及び錐体状突起１５と共に、エラストマー樹脂からなるエラストマー成形体の一部からなる。第２実施形態における頭皮圧迫用突起１６以外の突起（へら状突起１４及び錐体状突起１５）は、第１実施形態におけるものと同一の形態を有している。
【００４６】
頭皮圧迫用突起１６は、図９及び図１１に示すように、先端部分を半球状に丸めた略円柱状の形態を有している。より詳細には、図１１に示すように、円錐台状の基部１６ｂ上に半球状の先端部分１６ａを有する、錐体状の突起である。頭皮圧迫用の突起１６は、根元や高さ方向中央部等における横断面の面積が錐体状突起１５よりも大きく、錐体状突起１５よりも曲がりにくく形成されている。
【００４７】
また、図１２（ａ）に示すように、へら状突起１４の高突起１４ｂの先端の先端連設面Ｓを考えたときに、へら状突起１４の低突起１４ｃの先端、錐体状突起１５の先端及び頭皮圧迫用突起１６の先端は、何れも、その先端連設面Ｓに達していない。また、先端連設面Ｓから錐体状突起１５の先端までの距離は、該先端連設面Ｓからへら状突起１４の低突起１４ｃの先端までの距離と等しいか又は該距離より短くなっている。
更に、頭皮圧迫用突起１６は、先端連設面Ｓから該突起の先端までの距離が、該先端連設面Ｓから錐体状突起１５の先端までの距離と等しいか又は該距離より長くなっている。
【００４８】
そのため、第２実施形態のブラシ１０’は、図１２（ａ）に示すように、頭皮Ｓ’に軽く当てたときには、へら状突起１４の高突起１４ｂが頭皮Ｓ’に当たる一方、へら状突起１４の低突起１４ｃ、錐体状突起１５及び頭皮圧迫用突起１６の各先端は頭皮Ｓ’に当たらない。
しかし、先端連設面Ｓから頭皮圧迫用突起１６の先端までの距離が、該先端連設面Ｓから錐体状突起１５の先端までの距離より長い場合には、その状態から、ブラシ１０’を頭皮に押し当てる力を徐々に高めると、図１２（ｂ）に示すように、高突起１４ｂが変形して、低突起１４ｃ及び錐体状突起１５の先端が頭皮Ｓ’に当たる。そして、更に押し付ける力を強くすると、図１２（ｃ）に示すように、低突起１４ｃ及び錐体状突起１５もやや変形して、頭皮圧迫用突起１６が頭皮Ｓ’に当たる。
先端連設面Ｓから頭皮圧迫用突起１６の先端までの距離が、該先端連設面Ｓから錐体状突起１５の先端までの距離と等しい場合には、頭皮圧迫用突起１６及び錐体状突起１５がほぼ同時に頭皮Ｓ’に当たる。
【００４９】
このように、第２実施形態のブラシ１０’によれば、頭皮に押しつける力を変えることにより、第１実施形態のブラシ１０と同様の効果が奏される上に、より強く押し付けることにより、頭皮圧迫用突起１６で、頭皮Ｓ’を強く圧迫することができ、その状態でブラシを動かすことにより、指圧のように、頭部のツボを刺激することができるといった効果（以下、指圧効果ともいう）も得られる。
【００５０】
頭皮圧迫用突起１６による良好な指圧効果を得る観点から、頭皮圧迫用突起１６は、ブラシ面１３に隣接する根元部や高さ方向中央部における横断面の面積や直径が、錐体状突起１５の同部位の横断面の面積や直径に比して大きいことが好ましい。また、頭皮圧迫用突起１６は、半球状の先端部分１６ａに隣接する部位の直径Ｌ２（又は円相当径）が、根元部における直径Ｌ１（又は円相当径）の５０％超であることが好ましく、より好ましくは６０％以上１００％未満、更に好ましくは７０％以上１００％未満であり、一層好ましくは７０％以上９９％以下である。錐体状突起である頭皮圧迫用突起１６は、図１１に示すように、半球状の先端部分１６ａに隣接する部位の直径Ｌ２（又は円相当径）が、根元部における直径Ｌ１（又は円相当径）より小さいことが好ましい。半球状の先端部分１６ａに隣接する部位の直径Ｌ２（又は円相当径）と、根元部における直径Ｌ１（又は円相当径）との比の上限を１００％未満にすることで、頭皮圧迫用突起１６を成形する際に金型からの分離がしやすくなる。
【００５１】
また、頭皮圧迫用突起１６は、先端連設面Ｓから該突起１６の先端までの距離が、該先端連設面Ｓから低突起１４ｂの先端までの距離よりも０．５〜３．５ｍｍ、特に１〜２ｍｍ程度長いことが好ましい。また、頭皮圧迫用突起１６は、先端連設面Ｓから該突起１６の先端までの前記距離が、該先端連設面Ｓから錐体状突起１５の先端までの距離よりも０〜３ｍｍ、特に０〜１ｍｍ程度長いことが好ましい。
また、頭皮圧迫用突起１６は、先端の球面部の曲率半径Ｒ１が、１ｍｍ以上、特に２〜３．５ｍｍであることが好ましい。
【００５２】
なお、本発明は上記実施形態に限定されることなく種々の変更が可能である。
例えば、ブラシ面の周縁に沿った外周部分にへら状突起を立設し、これらの内側領域に錐体状突起を立設したり、内側領域の中央部分を横断してへら状突起の列を設ける必要は必ずしもなく、複数のへら状突起と複数の錐体状突起とをブラシ面の全体に混在させつつランダムに立設することもできる。また、へら状突起は、楕円の横断面形状の他、長円や矩形等のその他の扁平な横断面形状を有するものであっても良く、錐体状突起は略円錐形状の他、角錐形状等であっても良い。さらに、へら状突起に先端部分に高突起及び低突起を各１本づつのみ設けることもでき、先端突起は、円錐形状以外のその他の形状のものであって良い。
【００５３】
また、錐体状突起１５は、図７に示す実施形態における第２先端突起１５ｃのみを有するものであっても良いし、特許文献３に開示された、先端が曲面状に面取りされた錐体状突起を設けることもできる。
更に、へら状突起１４及び錐体状突起１５の配置態様は、図１３に示すような態様であっても良い。また、図１３に示すブラシにおける、ブラシ面の中央部近傍に位置する４個又は２個の錐体状突起１５を、第２実施形態に設けた頭皮圧迫用の突起１６に置き換えることもできる。頭皮圧迫用の突起１６に代えて、半球状の先端部分１６ａ以外の部分の形状が、上下方向に亘って直径が均一な円柱状の突起を設けても良い。また、頭皮圧迫用の突起１６は、先端部分を含めて横断面形状が楕円形のものであっても良いし、三角柱、四角柱、五角柱等の角柱又は角錐の先端を丸めたものであっても良い。
また、上述した頭皮用ブラシ１０においては、複数個（具体的には３個）のへら状突起１４とへら状突起どうし間に配置された２個の錐体状突起１５とが、へら状突起１４の横断面形状の長軸方向（Ｘ方向）と平行な方向にほぼ直列した状態に配置された突起列の本数は、Ｒ２〜Ｒ５の５本であったが、そのような突起列の本数は、５本に代えて、２本、３本、４本、６本、７本、８本、９本、１０本等とすることもできる。好ましい本数は３〜１０本、より好ましくは４〜１０本である。
【００５４】
また、上述した頭皮用ブラシ１０においては、へら状突起１４のへら状部分１４ａと高突起１４ｂ及び低突起１４ｃとが同一材料により一体成形され、錐体状突起１５の基部１５ａと第１及び第２先端突起１５ｂ，１５ｃとが同一材料により一体成形されていたが、独立して製造した高突起１４ｂや低突起１４ｃ、第１及び第２先端突起１５ｂ，１５ｃを、へら状部分１４ａや基部１５ａに、材料の同異に関係なく、後から熱融着等により一体化させても良い。
【００５５】
また、上述した一の実施形態における説明省略部分及び一の実施形態のみが有する要件は、それぞれ他の実施形態に適宜適用することができ、また、各実施形態における要件は、適宜、実施形態間で相互に置換可能である。
【符号の説明】
【００５６】
１０，１０’  頭皮用ブラシ
１１  把持部
１２  基台
１３  ブラシ面
１４  へら状突起
１４ａ  へら状部
１４ｂ  高突起（先端突起）
１４ｃ  低突起（先端突起）
１４Ｒ  中央突起群
１４Ｒ’  第２サイド突起群
１５  錐体状突起
１５ａ  基部
１５ｂ  第１先端突起（先端突起）
１５ｃ  第２先端突起（先端突起）
１５Ｒ’  第１サイド突起群
１６  頭皮圧迫用の突起（錐体状突起）
１６ａ  先端部分
１６ｂ  円錐台状の基部
１７  基台本体
１７ａ  装着開口
１７ｂ  装着凹部
１７ｃ  係止凹溝
１７ｄ  支持棒
１７ｅ  周縁段差部
１８  基板
１８ａ  基板の周端面
１９  エラストマー成形体
１９ａ  エラストマー成形体の底盤部
２０  楕円突起孔
２１  円形突起孔
ｈ１  へら状突起の高さ
ｈ２  へら状部の高さ
ｈ３  へら状突起の高突起の高さ
ｈ３’  へら状突起の低突起の高さ
ｈ４  錐体状突起の高さ
ｈ５  基部の高さ
ｈ６  第１及び第２先端突起の高さ
Ｘ  へら状突起の扁平な横断面形状の長軸方向
【図１】
0005743754.tif 000002
【図２】
0005743754.tif 000003
【図３】
0005743754.tif 000004
【図４】
0005743754.tif 000005
【図５】
0005743754.tif 000006
【図６】
0005743754.tif 000007
【図７】
0005743754.tif 000008
【図８】
0005743754.tif 000009
【図９】
0005743754.tif 000010
【図１０】
0005743754.tif 000011
【図１１】
0005743754.tif 000012
【図１２】
0005743754.tif 000013
【図１３】
0005743754.tif 000014